(57)【要約】【課題】  電子機器をリモートコントロールする場合に従来はリモートコントローラーからの信号を検知するための電力が必要なため、待機中の消費電力が大きい。また電子機器を他の機器と接続する場合それぞれの機器に所定の操作を行なう必要があった。課題は電子機器の省電化と外部機器との接続を容易にすること。【解決手段】  電子機器とＩＣタグとの接続をＩＣタグ内に設けたスイッチングトランジスタの出力ポートを介して行ない、電子機器の起動制御をスイッチングトランジスタの制御で行なえるようにした。これにより外部機器から電子機器を起動できるようになるので電子機器の利便性が向上する。ＩＣタグを利用したリモートコントローラも実現でき、赤外線方式のリモートコントローラに対し待機中の消費電力を低減できる。【選択図】  図１
2009140335.tif 000002
【特許請求の範囲】
【請求項１】
動作に必要な第一の電力を取得可能な電力取得手段（10）と、前記電力取得手段（10）により電力が供給された状態において機器の動作・非動作を制御する動作選択手段（8）を有した電子機器において、
該電子機器とは異なる外部機器（18）からの無線通信を第二の電力に変換する電力変換手段（13）と、少なくとも前記電力変換手段（13）によって得られた第二の電力で動作可能な、情報を記憶する記憶手段（16）と、情報の送受信を行なう無線通信手段（14）、と前記動作選択手段（8）に出力ポートが接続されたスイッチ切換え手段（17）と、前記記憶手段（16）と前記無線通信手段（14）と前記スイッチ切換え手段（17）を制御する演算処理手段（15）を含む電子回路部（3）とを有し、
前記電子機器が非動作時において、前記電子回路部（3）は前記電力変換手段（13）によって第二の電力が得られたときに動作して、前記無線通信手段（14）が前記外部機器（18）からの無線通信により所定の情報を取得した場合は前記演算処理手段（15）は前記スイッチ切換え手段（17）のスイッチを切換えるとともに、前記動作選択手段（8）は前記スイッチ切換え手段（17）のスイッチ切換えを検知して電子機器を動作状態にすることを特徴とする電子機器。
【請求項２】
前記外部機器（18）は前記電子機器を遠隔操作するリモートコントローラであることを特徴とする請求項１に記載の電子機器。
【請求項３】
前記電子機器はデジタルデータを処理するデジタル機器であり、前記外部機器は前記デジタル機器のデジタルデータを無線にて送受信するデジタルデータ通信装置であることを特徴とする請求項１に記載の電子機器。
【請求項４】
前記電子機器は、所定の操作ボタン（9）が操作されたことを前記動作選択手段（8）が検知して動作状態に遷移する第一動作モードと、前記電子回路部（3）の通信手段（14）から所定の情報が得られたことを前記動作選択手段（8）が検知して動作状態に遷移する第二動作モードを有し、
前記第二動作モードで行なえる動作の種類は前記第一動作モードで行なえる動作の種類よりも少ないことを特徴とする請求項１〜請求項３のいずれかに記載の電子機器。
【発明の詳細な説明】
【技術分野】
【０００１】
本発明は無線データ通信可能なICタグを搭載したデジタルスチルカメラなどの電子機器に関するものである。
【背景技術】
【０００２】
近年、RFID(Radio  Frequency  Identification)による無線通信を用いて非接触で情報の読み出しおよび書き込みを行なういわゆるICタグの利用が広まっている。そしてこのICタグを電子機器に搭載して電子機器の利便性を向上させる提案が特許文献１でなされている。
【０００３】
また電子機器では例えばテレビモニタのように赤外線を利用したリモートコントローラが広く普及している。
【０００４】
また近年、映像をデジタル映像データとして記録するデジタルスチルカメラが普及している。
【特許文献１】特開2006-005633号公報
【発明の開示】
【発明が解決しようとする課題】
【０００５】
しかしながら上記提案にはICタグの全ての機能を無線と有線のどちらの電源でも動作するように構成しているため、ICタグの構成が複雑になっていた。また電子機器にICタグを組み込んで、データ通信以外にどのように利便性を向上させるかといった新規な利用方法の提案はなされてなく、電子機器の利便性をさらに向上するような新しいICタグの利用方法が提案され広くICタグが普及することが望まれている。また電子機器に広く普及している赤外線式のリモートコントローラは電子機器側に赤外線を探知する受信部を常に動作させているため待機中の消費電力が大きいといった問題があった。
【０００６】
またデジタルカメラでは映像データをプリンタに出力したり、パーソナルコンピュータに保存する場合、使用者がプリンタやパーソナルコンピュータへの接続手続きを行なわなければならず使い勝手が良くなかった。
【０００７】
本出願に係る発明の第一の目的はICタグが組み込まれた電子機器の新しい利用法を提案することである。
【０００８】
本出願に係る発明の第二の目的はリモートコントロール可能な電子機器の待機中の消費電力の省電化である。
【０００９】
本出願に係る発明の第三の目的は電子機器の使い勝手の向上を図ることである。
【００１０】
本出願に係る発明の第四の目的は本発明を実施した電子機器の安全性の向上を図ることである。
【課題を解決するための手段】
【００１１】
上記第一から第三の目的を達成するために本出願の第一の発明では、動作に必要な第一の電力を取得可能な電力取得手段と、前記電力取得手段により電力が供給された状態において機器の動作・非動作を制御する動作選択手段を有した電子機器において、該電子機器とは異なる外部機器からの無線通信を第二の電力に変換する電力変換手段と、前記電力変換手段によって得られた第二の電力と前記電力取得手段より得られた第一の電力のどちらか一方を選択して動作可能な、情報を記憶する記憶手段と情報の送受信を行なう無線通信手段と前記記憶手段と前記通信手段を制御する演算処理手段を含む電子回路部とを有し、前記電子機器が非動作時において、前記電子回路部は前記電力変換手段によって第二の電力が得られたときに動作して、前記通信手段により所定の情報を取得した場合は前記動作選択手段は電子機器を動作状態にした。
【００１２】
上記第二の目的を達成するために本出願の第二の発明では、第一の発明の電子機器において、前記外部機器は前記電子機器を遠隔操作するリモートコントローラとした。
【００１３】
上記第三の目的を達成するために本出願の第三の発明では、第一の発明の電子機器において前記電子機器はデジタルデータを処理するデジタル機器であり、前記外部機器は前記デジタル機器のデジタルデータを無線にて送受信するデジタルデータ通信装置とした。
【００１４】
上記第四の目的を達成するために本出願の第四の発明では、第一の発明の前記電子機器に、所定の操作ボタンが操作されたことを前記動作選択手段が検知して動作状態に遷移する第一動作モードと、前記電子回路部の通信手段から所定の情報が得られたことを前記動作選択手段が検知して動作状態に遷移する第二動作モードを有し、前記第二動作モードで行なえる動作の種類は前記第一動作モードで行なえる動作の種類よりも少なくした。
【発明の効果】
【００１５】
以上説明したように、本出願に係る第一の発明によれば、動作に必要な第一の電力を取得可能な電力取得手段と、前記電力取得手段により電力が供給された状態において機器の動作・非動作を制御する動作選択手段を有した電子機器において、該電子機器とは異なる外部機器からの無線通信を第二の電力に変換する電力変換手段と、前記電力変換手段によって得られた第二の電力と前記電力取得手段より得られた第一の電力のどちらか一方を選択して動作可能な、情報を記憶する記憶手段と情報の送受信を行なう無線通信手段と前記記憶手段と前記通信手段を制御する演算処理手段を含む電子回路部とを有し、前記電子機器が非動作時において、前記電子回路部は前記電力変換手段によって第二の電力が得られたときに動作して、前記通信手段により所定の情報を取得した場合は前記動作選択手段は電子機器を動作状態にしたので、ICタグの機能を利用して電子機器の電源ON/OFFを遠隔制御できるとともに待機中の消費電力を少なくでき、使用者が電子機器を起動する必要がないので電子機器の扱いが容易になるといった効果がある。
【００１６】
本出願に係る第二の発明によれば、第一の発明の電子機器において前記外部機器を前記電子機器を遠隔操作するリモートコントローラとしたので、遠隔操作可能な電子機器の待機中の消費電力を低減できるといった効果がある。
【００１７】
本出願に係る第三の発明によれば、第一の発明の電子機器において前記電子機器はデジタルデータを処理するデジタル機器であり、前記外部機器は前記デジタル機器のデジタルデータを無線にて送受信するデジタルデータ通信装置としたので、使用者の手を煩わせることなくデジタルデータの授受が可能となるといった効果がある。
【００１８】
本出願に係る第四の発明によれば、第一の発明の前記電子機器に、所定の操作ボタンが操作されたことを前記動作選択手段が検知して動作状態に遷移する第一動作モードと、前記電子回路部の通信手段から所定の情報が得られたことを前記動作選択手段が検知して動作状態に遷移する第二動作モードを有し、前記第二動作モードで行なえる動作の種類は前記第一動作モードで行なえる動作の種類よりも少なく制限したので、外部機器から意図しない動作を与えられてもその被害を最小限にでき、電子機器の安全性を向上できるといった効果がある。
【発明を実施するための最良の形態】
【００１９】
次に、本発明の詳細を実施例の記述に従って説明する。
【実施例１】
【００２０】
図１は本発明の特徴を最もよく表す図で、映像をデジタルデータとして保存可能なデジタルカメラ（電子機器）のブロック図である。同図において1はデジタルカメラの筐体を示し、２、３はそれぞれ前記筐体１の内部に収められた本体部とICタグ部である。４は映像データを生成するする撮像部で、５は映像データを表示する表示部である。６は撮像部で生成された映像データを保存する記憶部である。７は他の電子機器と情報の送受信を行なうための第一無線通信手段である。８はデジタルカメラを起動・非起動を制御する電源制御手段で、９は使用者が操作することでカメラの起動・非起動を行なわせるための電源ボタンである。１０は本体部２の駆動源であるで電力を供給する電力供給部である。１１は本体部２の動作全般を制御するメイン制御手段で、１２はデジタルカメラの動作モードを選択する動作選択手段である。そして前記本体部２は４から１２の構成要素で構成されている。次に１３は無線通信を行なうための電磁波を送受信するためのアンテナ部で、後述する外部機器１８から所定の無線通信を受信することでICタグ部３の動作に必要な電力を生成する無線電力供給手段を兼ねている。１４は少なくとも前記アンテナ部１３で生成された電力で動作し、外部機器１８と情報の送受信を行なう第二無線通信手段である。１５はＩＣタグ部の制御全般を行なうＩＣタグ部制御手段である。１６はデジタルカメラの固有ナンバーや使用者の住所情報および外部機器からの情報等を記憶するメモリである。１７は前記電源制御手段８に出力ポートが接続されスイッチングトランジスタである。そして前記ＩＣタグ部３は１３から１７の構成要素で構成されている。次に１８は少なくとも前記第二無線通信手段１４と無線通信可能なＩＣタグ通信手段１９を有した外部機器である。
【００２１】
次に動作を説明する。図３は図１のデジタルカメラの動作フローを示すフローチャート図である。同図においてまず電源供給部１０に電池または電源プラグが装着されると（Ｓ１０１）電源制御手段８が起動し（Ｓ１０２）、待機モードＭ1に移行する。待機モードＭ1では電源起動手段８はＳ１０３で電源ボタン９が操作されたかどうかを検知し、Ｓ１０４で前記スイッチングトランジスタ１６が通電状態になっているかどうかを検知している。
【００２２】
ここでＩＣ前記ＩＣタグ部３の動作を説明する。図４は前記ＩＣタグ部３の動作フローを示すフローチャート図である。同図において前記ＩＣタグ部３は通常外部機器１８からの無線通信の受信待機状態になっている(Ｓ２００)。そして外部機器１８からの無線電波を受信すると（Ｓ２０１）電源供給用の電磁波を前記アンテナ部１３でＩＣタグ部３の駆動用電力に変換する（２０２）。そしてＳ２０２では得られた電力を用いてＩＣタグ部３は外部機器１８と無線通信を行い（Ｓ２０３）、外部機器１８との通信が可能かどうか判定する（Ｓ２０４）。なお、外部機器１８との通信が可能かどうかの判定は外部機器１８からの識別信号を受け取り、その識別信号とＩＣタグ部３のメモリ１６に予め保存されたデータと比較して判定しているものとする。そしてＳ２０４で通信可能と判定された場合は外部機器１８から受け取った情報に応じてＳ２０５からＳ２１０の動作を行なう。即ち外部機器１８からの情報がデジタルカメラの起動信号の場合はスイッチングトランジスタ１７を一定時間通電状態にし（Ｓ２０５，Ｓ２０８）、外部機器１８からの情報がＩＣタグ部３のメモリ１６に保存された内容の送信命令であった場合はメモリ１６の内容を送信し（Ｓ２０６，Ｓ２０９）、外部機器１８からの情報が外部機器１８からの情報の保存命令であった場合は外部機器１８から受信した情報をメモリ１６に保存する（Ｓ２０７，２１０）。
【００２３】
図３の戻って、待機モードＭ１においてＳ１０３で電源ボタン９が操作されたことを検知すると電源制御手段８は前記本体部２を通常起動モードＭ２で起動し（Ｓ１０８）、Ｓ１０４でスイッチングトランジスタ１７が通電状態になっていることを検知すると電源制御手段８は前記本体部２を制限モードＭ３で起動する（Ｓ１２０）。通常起動モードＭ２ではＳ１０８で本体部２を起動状態にするとＳ１０９からＳ１１１で動作モードの検知を行い、前記本体部２のモード選択手段１２で設定された動作モードに応じてモード設定を行なう。すなわち、モード選択手段１２で撮影モードが選択されていた場合は撮影動作へ移行し（Ｓ１０９、Ｓ１１２）、モード選択手段１２で再生モードが選択されていた場合は再生モードに移行し（Ｓ１１０，Ｓ１１３）、モード選択手段１２で通信モードが選択されていた場合は通信モードに移行する（Ｓ１１１、Ｓ１１４）。
【００２４】
そして通常動作モードＭ２において電源ボタンが押されたことを検知すると本体部の動作を停止して、待機モードＭ１へ戻る。なお、各動作モードでの動作は本発明と関連がないので動作の説明は省略する。
【００２５】
また前記待機モードＭ１においてＳ１０４で前記スイッチングトランジスタ１７の通電状態が一定時間検知された場合は前記電源制御手段８は本体部２を制限モードＭ３で起動する（Ｓ１２０）。本実施例では本体部２は制限モードＭ３で起動すると、前記モード選択手段１２によって選択された動作モードは無視され、通信モードでのみ動作するものとする。制限モードＭ３で起動するとまず外部機器１８から受信した情報に応じて使用する通信手段の選択を行う（Ｓ１２１，Ｓ１２２）。そしてＳ１２１で無線手段１が選択された場合はＩＣタグ部３の第二無線手段１４を使用して外部機器１８との無線通信を行う（Ｓ１２４）。このとき無線通信で受信した情報はメモリ１６に保存されるかまたはＩＣタグ部制御手段１５を介して本体部２のメイン制御手段１１に送られる。また前記外部機器１８より受信した情報によりＳ１２２で第一無線手段７よる通信が選択された場合は、前記第一無線通信手段７を動作させ、外部機器１８と通信状態を確立し、無線通信を行なう（Ｓ１２３）。第一無線通信手段７は本体部２の電力供給部から供給された電力を使用して動作するのでＩＣタグ部３の第二無線通信手段１４よりも高速通信が可能となっている。そのため記憶部６に保存された映像データのように大容量のデータも短時間で外部機器１８に送信可能となっている。前記制限モードＭ３において前記外部機器１８からスイッチイングトランジスタ１７が一定時間通電状態になったことを検知するか（Ｓ１２５）、電源ボタン９が操作されたことを検知すると（Ｓ１２６）通信を終了し、待機モードＭ１に移行する。以下Ｓ１０３からＳ１２７までの動作を繰り返す。
【００２６】
図４、図５は図１の外部機器１８の具体的な使用例を示した図である。図４において前記外部機器１８はパット状の無線通信手段を有したコンピュータである。また図５の外部機器１８はデジタルカメラを遠隔操作するためのリモートコントローラである。この場合、図２のＳ１０４でリモートコントローラからの信号によりスイッチングトランジスタ１７が所定時間通電状態になった場合、通常モードＭ２に移行するようにしても良い。またＩＣタグ部３のメモリ１６にリモートコントローラの識別情報を記憶しておくことで他のリモートコントローラからの動作を受け付けないようにできるので混信等の問題を回避できるといった効果がある。
【００２７】
また本発明は実施例のデジタルカメラに限定されることはなく、ほとんどの電子機器に適用できることは言うまでもない。
【図面の簡単な説明】
【００２８】
【図１】本発明の実施したデジタルカメラのブロック図。
【図２】図１のデジタルカメラの動作フローを示すフローチャート図。
【図３】図１のＩＣタグ部３の動作フローをしますフローチャート図。
【図４】図１の外部機器１８の具体例１を示す図。
【図５】図１の外部機器１８の具体例２を示す図。
【符号の説明】
【００２９】
１  デジタルカメラの筐体
２  本体部
３  ＩＣタグ部
４  撮像部
５  表示部
６  記憶部
７  第一無線通信手段
８  電源制御手段
９  電源ボタン
１０  電力供給部
１１  メイン制御手段
１２  モード選択手段
１３  アンテナ部
１４  第二無線通信部
１５  ＩＣタグ部制御手段
１６  メモリ
１７  スイッチングトランジスタ
１８  外部機器
１９  ＩＣタグ通信手段
【図１】
2009140335.tif 000003
【図２】
2009140335.tif 000004
【図３】
2009140335.tif 000005
【図４】
2009140335.tif 000006
【図５】
2009140335.tif 000007